(57)【要約】  改良された性能データを有する電気コネクタと係合されるように構成された基板は、電気コネクタと係合されるように構成された従来の基板の電気信号接点パッドの長さに関して、基板の電気信号接点パッドの長さを低減することによって達成される。
2018503261.tif 000002
【特許請求の範囲】
【請求項１】
電気コネクタに受け入れられるように構成された基板であって、
終端と、前記電気コネクタ内への前記基板の挿入の方向において前記終端から離間された先端と、
少なくとも１つの面と、
前記少なくとも１つの面に搭載され、後縁と前記挿入の方向において前記後縁から離間された先縁とを規定する少なくとも１つの電気信号接点パッドとを備え、前記電気信号接点パッドは、前記電気コネクタに受け入れられるように構成された別の基板の信号接点パッドの別の信号接点パッド長さよりもオフセット距離だけ小さい、前記先縁から前記後縁までの信号接点パッド長さを有する、基板。
【請求項２】
前記オフセット距離は、およそ０．２ｍｍである、請求項１に記載の基板。
【請求項３】
前記少なくとも１つの電気信号接点パッドの前記信号接点パッド長さは、前記別の信号接点パッド長さよりも、およそ５％からおよそ２５％小さい、請求項１または２に記載の基板。
【請求項４】
前記信号接点パッド長さは、およそ１．６５ｍｍである、請求項１から３のいずれか一項に記載の基板。
【請求項５】
少なくとも１つの導電性の信号接点パッドは、対に構成された複数の導電性パッドを備え、前記基板は、前記対の間に配置される接地接点パッドをさらに備える、請求項１から４のいずれか一項に記載の基板。
【請求項６】
前記少なくとも１つの電気信号接点パッドと前記先端との間に配置される電気引き込み接点パッドをさらに備え、前記引き込み接点パッドは、前記別の基板の引き込み接点パッド長さよりも大きい引き込み接点パッド長さを有する、請求項１から４のいずれか一項に記載の基板。
【請求項７】
前記基板の前記引き込み接点パッド長さは、前記別の基板の前記引き込み接点パッド長さよりも前記オフセット距離だけ大きい、請求項６に記載の基板。
【請求項８】
前記少なくとも１つの引き込み接点パッドの前記後縁は、前記基板の前記先端から、前記別の基板の引き込み接点パッドの後縁が前記別の基板の先端から離間される距離よりも大きい距離だけ離間される、請求項６または７に記載の基板。
【請求項９】
前記引き込み接点パッドは、選ばれた信号接点の前記先縁から、他の実質的に同一の基板の前記接点パッドが、前記別の基板の前記信号接点の前記先縁から離間される距離と等しい距離だけ離間される、請求項６から８のいずれか一項に記載の基板。
【請求項１０】
前記少なくとも１つの導電性の信号接点パッドは、対に構成された複数の導電性パッドを備え、前記基板は、
前記対の間に配置された接地接点パッドと、
各々が前記挿入の方向に沿って前記電気信号接点パッドのそれぞれの１つと揃えられる複数の引き込み接点パッドと
をさらに備える、請求項６から９のいずれか一項に記載の基板。
【請求項１１】
前記少なくとも１つの電気信号接点パッドの前記先縁は、前記基板の前記先端から、他の実質的に同一の基板の信号接点の先縁が他の実質的に同一の基板の前記先端から離間される距離よりもおよそ２ｍｍ大きく離間される、請求項１から１０のいずれか一項に記載の基板。
【請求項１２】
前記少なくとも１つの電気信号接点パッドは、前記基板が前記電気コネクタと完全に係合されたときに、前記電気コネクタの信号接点の取り付け部と接触するように構成される接触位置を規定し、前記接触位置は、前記電気信号接点パッドの先縁からおよそ１．５５ｍｍの距離だけ離間される、請求項１から１１のいずれか一項に記載の基板。
【請求項１３】
前記少なくとも１つの電気信号接点パッドは、前記基板が前記電気コネクタと完全に係合されたときに、前記電気コネクタの信号接点の取り付け部と接触するように構成される接触位置を規定し、前記接触位置は、前記電気信号接点パッドの先縁から、前記別の基板の接触位置が前記別の信号接点パッドの先端から離間される対応する距離よりも小さい距離だけ離間される、請求項１から１１のいずれか一項に記載の基板。
信号接点パッド。
【請求項１４】
前記少なくとも１つの電気信号接点パッドの接触位置は、前記基板の前記先端から、他の実質的に同一の基板の前記接触位置が、他の実質的に同一の基板の前記先端から離間される距離と等しい距離だけ離間される、請求項１０から１３のいずれか一項に記載の基板。
【請求項１５】
引き込み接点パッド長さおよび前記信号接点パッド長さを除いて、前記別の基板と実質的に同一に構成された、請求項１から１４のいずれか一項に記載の基板。
【請求項１６】
前記少なくとも１つの面は、各々が複数の導電性の信号接点パッドと、接地接点パッドと、引き込み接点パッドとを搭載する第１の面と第２の面とを備える、請求項６から１５のいずれか一項に記載の基板。
【請求項１７】
電気コネクタであって、コネクタ筐体と、前記コネクタ筐体に支持される複数の電気接点とを備え、前記電気接点は、前記コネクタ筐体の少なくとも１つのレセプタクル内へ延在する係合端部を有し、前記少なくとも１つのレセプタクルは、前記電気接点と前記基板とを係合させるように、請求項４から１６のいずれか一項に記載の基板の少なくとも１つを受け入れるように構成される、電気コネクタ。
【請求項１８】
ＳＡＳコネクタ、ミニＳＡＳコネクタ、またはミニＳＡＳ  ＨＤコネクタとして構成される、請求項１７に記載の電気コネクタ。
【請求項１９】
請求項５から１６のいずれか一項に記載の基板と、請求項１７に記載の電気コネクタとを係合させる方法であって、
前記基板の前記先端を前記電気コネクタのレセプタクル内へ挿入方向に挿入するステップと、
前記電気コネクタの複数の電気接点の係合端部と、複数の電気信号接点パッドのそれぞれのものとを接触させるステップと
を備える、方法。
【請求項２０】
前記係合端部と前記複数の電気信号接点パッドのそれぞれのものとを接触させる前に、前記係合端部を引き込み接点パッドに沿ってワイプするステップをさらに備える、請求項１９に記載の方法。
【発明の詳細な説明】
【技術分野】
【０００１】
背景技術
[0001]電気コネクタは、補完的な電気部品間で電気信号を転送するように構成される。例えば、電気コネクタは、第１の補完的な部品と第２の補完的な部品とが互いに電気通信するように、第１の補完的な電気部品に取り付けられ、第２の補完的な電気部品と係合され得る。電気コネクタは、誘電コネクタまたは電気絶縁性コネクタ筐体と、このコネクタ筐体に支持される導電体とを含むことができる。例えば、導電体は、それぞれの信号導体の間、信号導体の対の間、または他の数の信号導体の間に配置される信号導体と接地導体とを含むことができる。信号導体は、第１の補完的な電気部品と第２の補完的な電気部品との間でデータ信号、光信号、または同様のものなどを搬送することができる。いくつかのタイプの電気コネクタの導電体は、第１の補完的な電気部品と第２の補完的な電気部品との間で電力を伝達するように構成された電力コンダクタをさらに含むことができる。
【０００２】
[0002]いくつかの電気コネクタは、少なくとも１つの基板を含み、この基板は、導電体を含むプリント回路板として構成され得る。そのようなプリント回路板は、パドルカードとも称される。例えば、導電体は、基板の外表面に配置される電気トレースとして構成されても、基板の内部層に配置される電気トレースとして構成されてもよく、または外表面に配置される一部と基板の内部層に配置される一部とを有してもよい。いくつかの電気コネクタは、１つの基板を含むことができ、他の電気コネクタは、第１の基板と第２の基板とを含むことができる。ただし、本開示は、電気コネクタの基板の数に限定されないことが認識されるべきである。電気コネクタは、少なくとも１つのケーブルと少なくとも１つの基板とを電気通信させるように、少なくとも１つのケーブルに取り付けられるように構成され得る。したがって、第１の補完的な電気部品は、少なくとも１つのケーブルとして構成されることが可能であり、このケーブルは、電気的データ、光信号、または電力を転送するように構成され得る。電気コネクタは、少なくとも１つの基板のそれぞれの係合端部を受け入れるように構成された少なくとも１つのレセプタクルを含むレセプタクルコネクタに係合するようにさらに構成され、それによって、基板の導電体との電気接続を確立する。したがって、第２の補完的な電気部品は、送受信機などの電気コネクタとして構成され得る。
【０００３】
[0003]そのような電気コネクタの例は、ミニＳＡＳおよびミニＳＡＳ  ＨＤコネクタなどのシリアル・アタッチド・スモール・コンピュータ・システム（「ＳＡＳ」）コネクタおよびその変形例を含む。したがって、本明細書におけるＳＡＳコネクタへの言及は、別段の指示がない限り、ミニＳＡＳおよびミニＳＡＳ  ＨＤを含むが、これらに限定されない、すべてのそのようなＳＡＳコネクタおよびそれらの変形例と、少なくとも１つのパドルカードを受け入れるように構成された他のすべての電気コネクタとを指すことを意図されている。
【０００４】
[0004]ここで、図１Ａ〜図１Ｃを参照すると、ＳＡＳコネクタの従来の基板２０は、第１の面２２と、横断方向Ｔに関して第１の面２２と対向する第２の面２４とを含む。基板２０は、プリント回路板として、特に、ＳＡＳコネクタ用のパドルカードとして、構成される。ＳＡＳコネクタは、各々が例示されるように従来通りに構成され、本明細書においては基板２０に関連して説明される１対のパドルカードと共に使用するために構成され得ることが認識される。基板２０を含むＳＡＳコネクタは、２０１４年５月２５日付けのＳＦＦ−８６４３  Ｒｅｖ３．４、２０１４年８月４日付けのＳＦＦ−８６４４  Ｒｅｖ３．３、および２０１４年７月２４日付けのＳＦＦ−８６６２  Ｒｅｖ．２．７において述べられているように構成されることが可能であり、これらの各々の開示内容は、あたかもその全体が本明細書において述べられているかのように、参照によって本明細書に組み込まれる。
【０００５】
[0005]従来の基板２０は、第１の面２２に搭載される第１の複数の電気接点を含んでおり、ＳＡＳコネクタと係合するように構成された導体パッド２６として構成される。第１の複数の電気接点パッド２６は、横断方向Ｔに対して実質的に垂直な横方向Ａに沿って、互いに離間され得る。同様に、従来の基板は、第２の面２４に搭載される第２の複数の電気接点を含んでおり、ＳＡＳコネクタと係合するように構成された導体パッド２８として構成される。第２の複数の電気接点パッド２８の電気接点は、横方向Ａに沿って、互いに離間され得る。特に、基板２０は、ＳＡＳコネクタの電気接点が第１の複数の電気接点パッド２６および第２の複数の電気接点パッド２８のそれぞれと係合するように、ＳＡＳコネクタに受け入れられる。
【０００６】
[0006]第１の複数の電気接点パッド２６および第２の複数の電気接点パッド２８の各々は、それぞれの信号接点パッド２９と接地接点パッド３０とを含む。信号接点パッド２９および接地接点パッド３０は、横断方向Ｔと横方向Ａとの両方に対して垂直な縦方向Ｌに沿って伸張する。信号接点パッド２９のうち横方向Ａに関して隣接する信号接点パッドは、対３２へと構成される。対３２は、差動信号対を規定する。信号接点パッド２９は代替的にシングルエンドであってもよいことが認識される。基板２０は、横方向Ａに関して信号接点パッド２９のそれぞれの間に配置された接地接点パッド３０を含む。例えば、例示されるように、接地接点パッド３０は、横方向Ａに関して対３２の隣接するものの間の位置において、第１の面２２および第２の面２４の各々に搭載される。横方向Ａは、本明細書において行方向とも称される。第１の面２２に搭載される信号接点パッド２９の各々は、横断方向Ｔに沿って、第２の面２４に搭載される信号接点パッド２９のそれぞれと揃えられる。同様に、第２の面２４に搭載される信号接点パッド２９の各々は、横断方向Ｔに沿って、第１の面２２に搭載される信号接点パッド２９のそれぞれと揃えられる。さらに、第１の面２２に搭載される接地接点パッド３０の各々は、横断方向Ｔに沿って、第２の面２４に搭載される接地接点パッド３０のそれぞれと揃えられる。同様に、第２の面２４に搭載される接地接点パッド３０の各々は、横断方向Ｔに沿って、第１の面２２に搭載される接地接点パッド３０のそれぞれと揃えられる。
【０００７】
[0007]基板２０は、第１の面２２と第２の面２４の一方または両方に搭載される引き込み接点パッド３４をさらに含む。引き込み接点パッド３４の各々は、縦方向Ｌに沿って、信号接点パッド２９のそれぞれと揃えられる。さらに、引き込み接点パッド３４の各々は、引き込み接点パッド３４と信号接点パッド２９との間の間隔を規定するように、縦方向Ｌに沿って信号接点パッド２９のそれぞれから離間される。特に、引き込み接点パッド３４の各々は、縦方向Ｌに沿った前方方向における信号接点パッド２９のそれぞれから離間される。この点において、基板２０は、前方端部３６ａと、縦方向Ｌに沿って前方端部３６ａから離間された後方端部３６ｂとを規定する。前方端部３６ａは、前方方向において後方端部３６ｂから離間される。同様に、後方端部３６ｂは、順方向と反対の後方方向において前方端部３６ａから離間される。前方方向および後方方向は各々、縦方向Ｌに沿った向きとされる。動作中に、基板２０の前方端部３６ａは、ＳＡＳコネクタに関して前方方向への移動によって、ＳＡＳコネクタのレセプタクル内に受け入れられる。
【０００８】
[0008]したがって、基板２０の前方端部３６ａは、基板２０の先端と称されてもよく、基板２０の後方端部は、終端と称されてもよい。同様に、第１の複数の接点パッド２６の各々は、後縁と、前方方向において後縁から離間された先端とを含む。例えば、信号接点パッド２９の各々は、後縁２９ａと、前方方向において後縁２９ａから離間された先縁２９ｂとを含む。同様に、引き込み接点パッド３４の各々は、後縁３４ａと、前方方向において後縁３４ａから離間された先縁３４ｂとを含む。接地接点パッド３０の各々は、後縁３０ａと、前方方向において後縁３０ａから離間された先縁３０ｂとを含む。引き込み接点パッド３４の各々の後縁３４ａは、縦方向Ｌに沿って、信号接点パッド２９の揃えられた１つの先縁２９ｂから離間される。引き込み接点パッド３４は、導電性であり、信号接点パッド２９に関して同じ材料または異なる材料から作製され得る。
【０００９】
[0009]従来のミニＳＡＳ  ＨＤコネクタでは、基板２０の信号接点パッド２９の各々は、縦方向Ｌに沿って後縁２９ａから先縁２９ｂまでの信号接点パッド長さＬ１を規定する。信号接点パッド長さＬ１は、およそ１．８５ｍｍである。「およそ」という用語は、ここでは、製作公差または丸めに起因する潜在的なばらつきを示すために、寸法情報に関して使用される。さらに、信号接点パッド２９の各々の先縁２９ｂは、基板２０の前方端部３６ａから、縦方向Ｌに沿って距離Ｄ１だけ離間される。さらにまた、信号接点パッド２９の各々の先縁２９ｂは、基板２０の後部３６ｂから、縦方向Ｌに沿って距離Ｄ２だけ離間される。引き込み接点パッド３４の各々は、縦方向Ｌに沿って後縁３４ａから先縁３４ｂまで測定された引き込み接点パッド長さＬ２を規定する。引き込み接点パッド３４の各々の後縁３４ａは、信号接点パッド２９のそれぞれ揃えられた１つの先縁２９ｂから、縦方向Ｌに沿って距離Ｄ３だけ離間される。つまり、引き込み接点パッド３４を信号接点パッド２９の揃えられたものから分離する間隔が、縦方向Ｌに沿った距離Ｄ３を規定する。
【００１０】
[0010]信号接点パッド２９は、後縁２９ａと先縁２９ｂとの間の接触位置３８をさらに規定する。特に、基板２０は、第２の補完的な電気部品のレセプタクル内に受け入れられるので、第２の補完的な電気部品の信号接点は、接触位置３８において信号接点パッド２９と物理的および電気的に接触させられる前に、引き込み接点パッド３４に沿ってワイプする（wipe）ことができる。電気コネクタが、第２の補完的な電気部品と完全に係合されると、基板２０は、第２の補完的な電気部品のレセプタクル内に完全に据え付けられる。基板２０が、第２の補完的な電気部品のレセプタクル内に完全に据え付けられると、補完的な電気部品の信号接点は、接触位置３８において信号接点パッド２９と物理的に接触する。接触位置３８は、縦方向Ｌに沿って基板２０の前方端部３６ａから距離Ｄ４だけ離間される。接触位置３８は、縦方向Ｌに沿って基板２０の後方端部３６ｂから距離Ｄ５だけ離間される。さらに、従来のミニＳＡＳ  ＨＤコネクタでは、接触位置３８は、縦方向Ｌに沿って信号接点パッド２９の先縁２９ｂからおよそ１．７５ｍｍの距離Ｄ６だけ離間される。したがって、接触位置３８は、縦方向に沿って信号接点の後縁２９ａからおよそ０．１ｍｍの距離だけ離間される。本明細書において説明されるような、長さＬ１〜Ｌ２および距離Ｄ１〜Ｄ６は、基板２０の第１の面２２と第２の面２４との両方に当てはまる。
【発明の概要】
【００１１】
[0011]本開示の１つの態様では、基板は、電気コネクタに受け入れられるように構成される。基板は、終端と、電気コネクタ内への基板の挿入の方向において終端から離間された先端とを含むことができる。基板は、少なくとも１つの面と、この少なくとも１つの面に搭載される少なくとも１つの電気信号接点パッドとを含むことができる。少なくとも１つの電気信号接点パッドは、先縁と、挿入の方向においてこの先縁から離間された後縁とを規定することができる。電気信号接点パッドは、電気コネクタに受け入れられるように構成される別の基板の信号接点パッドの別の信号接点パッド長さよりもオフセット距離だけ小さい、先縁から後縁までの信号接点パッド長さを規定することができる。
【００１２】
[0012]前述の概要、および本出願の例示的な実施形態の下記の詳細な説明は、例示の目的のために例示的な実施形態が図面に示されている添付の図面と共に読まれた際に、より良く理解されるであろう。しかしながら、本出願は、図示されるまさにその構成および手段に限定されないことが、理解されるべきである。図面の説明は、下記の通りである。
【図面の簡単な説明】
【００１３】
【図１Ａ】[0013]電気コネクタの従来のパドルカードの第１の面の上面図。
【図１Ｂ】[0014]図１Ａに例示されるパドルカードの底面図。
【図１Ｃ】[0015]図１Ａに例示されるパドルカードの側面図。
【図２Ａ】[0016]ＳＡＳコネクタ、およびこのＳＡＳコネクタに受け入れられた、１つの実施形態に従って構築された１対の同一のパドルカードの斜視図。
【図２Ｂ】[0017]図２Ａに例示されるＳＡＳコネクタおよびパドルカードの展開斜視図。
【図２Ｃ】[0018]図２Ａに例示されるＳＡＳコネクタの別の斜視図。
【図２Ｄ】[0019]図２Ａに例示される電気コネクタの複数の信号接点の側面図。
【図２Ｅ】[0020]図２Ａに例示される電気コネクタの接地板の側面図。
【図３Ａ】[0021]図２Ａに例示されるパドルカードの１つの第１の面の上面図。
【図３Ｂ】[0022]図３Ａに例示されるパドルカードの底面図。
【図３Ｃ】[0023]図３Ａに例示されるパドルカードの側面図。
【図４】[0024]パドルカードがＳＡＳコネクタ内に完全に据え付けられたときに、図２Ａに例示されるＳＡＳコネクタの電気接点が図３Ａに例示されるパドルカードと係合した状態を示す上面図。
【図５Ａ】[0025]図３Ａに例示されるパドルカードのいくつかの信号接点対のインピーダンスを時間の関数として示すグラフ。
【図５Ｂ】[0026]図３Ａに例示されるパドルカードのいくつかの信号接点対の反射減衰を動作周波数の関数として示すチャート。
【発明を実施するための形態】
【００１４】
[0027]ここで、図２Ａ〜図２Ｅを参照すると、ＳＡＳコネクタなどの電気コネクタ４０は、電気絶縁性コネクタ筐体４２と、このコネクタ筐体４２に支持される複数の電気接点４４とを含む。電気接点４４は、下記に述べられるように信号接点として構成され得る。電気コネクタ４０は、第１の基板１２０ａおよび第２の基板１２０ｂと係合するように構成される。第１の基板１２０ａおよび第２の基板１２０ｂは、ＳＡＳコネクタ用のパドルカードとして構成され得る。下記により詳細に説明されるように、第１の基板１２０ａおよび第２の基板１２０ｂは、図１Ａ〜図１Ｃに関して上述された基板２０とは異なる、信号接点パッド１２９と引き込み接点パッド１３４とを含むことができる。
【００１５】
[0028]電気コネクタ４０が、第３の基板に取り付けられると、電気接点４４は、第３の基板の補完的な電気トレースに電気的に接続され、それによって、電気コネクタ４０を第３の基板と電気通信させる。第３の基板は、プリント回路板として構成され得る。電気コネクタ４０が、第１の基板１２０ａおよび第２の基板１２０ｂに係合されると、電気接点４４は、第１の基板１２０ａおよび第２の基板１２０ｂの各々の補完的な電気トレースと電気通信させられる。したがって、電気コネクタ４０が、第３の基板に取り付けられ、第１の基板１２０ａおよび第２の基板１２０ｂと係合されると、第１の基板１２０ａおよび第２の基板１２０ｂの各々は、第３の基板と電気通信させられる。
【００１６】
[0029]コネクタ筐体４２は、上端部４６と、横断方向に沿って上端部４６と対向する底端部４８とを規定する。コネクタ筐体４２は、前方端部５０と、縦方向Ｌに沿って前方端部５０と対向する後方端部５２とをさらに規定する。例えば、前方端部５０は、基板１２０ａおよび１２０ｂの前方方向と反対の、電気コネクタ４０の前方方向において、後方端部５２から離間される。コネクタ筐体４２は、横方向Ａに沿って互いから離間された、対向する側面５９をさらに含む。例示された実施形態によれば、横断方向Ｔは、垂直な向きとされ、縦方向Ｌおよび横方向Ａは、水平な向きとされる。ただし、コネクタ筐体４２の向きは使用中に変わり得ることが認識されるべきである。電気コネクタ４０は、第３の基板の伸長の方向と平行に、横方向Ａに沿って延在することができる行方向５１と、行方向５１に対して実質的に垂直であり、横断方向Ｔに沿って、したがって、第３の基板の伸長の方向に対して実質的に垂直に延在することができる列方向５５とを規定する。
【００１７】
[0030]コネクタ筐体４２は、前方端部５０に近接して配置された係合インターフェース５４と、底端部４８に近接して配置された取り付けインターフェース５６とを規定する。取り付けインターフェース５６は、電気コネクタ４０が第３の基板に取り付けられるときに、第３の基板と動作可能に嵌合するように構成される。係合インターフェース５４は、電気コネクタ４０が第１の基板１２０ａおよび第２の基板１２０ｂと係合されたときに、第１の基板１２０ａおよび第２の基板１２０ｂと動作可能に嵌合するように構成される。コネクタ筐体４２は、少なくとも１つのレセプタクル、例えば、第１のレセプタクルまたは上部レセプタクル４５ａと、横断方向Ｔに沿って第１のレセプタクルまたは上部レセプタクル４５ａから離間された第２のレセプタクルまたは下部レセプタクル４５ｂとを規定する。レセプタクル４５ａ〜ｂは、係合インターフェース５４に配置され、第１の基板１２０ａおよび第２の基板１２０ｂなどの、対応する電気部品をそれぞれ受け入れるように構成される。レセプタクル４５ａおよび４５ｂの各々は、コネクタ筐体４２の前方端部５０内へ延在する。第１のレセプタクル４５ａは、第１の行または上部の行４７に沿って延在し、第２のレセプタクル４５ｂは、横断方向Ｔに沿って第１の行または上部の行４７の下に離間された第２の行または下部の行４９に沿って延在する。したがって、上部の行４７および下部の行４９は、列方向５５に沿って互いから離間されている。第１の行または上部の行４７および第２の行または下部の行４９の各々は、行方向５１に沿って伸長し、したがって、互いに実質的に平行に延在する。レセプタクル４５ａ〜ｂの各々は、前方端部３６内へ横に延在し、第１の基板１２０ａおよび第２の基板１２０ｂのそれぞれの先縁が、第１の行４７および第２の行４９それぞれのレセプタクル４５ａおよび４５ｂ内にそれぞれ挿入されるように構成されるような大きさにされる。したがって、第１の基板１２０ａおよび第２の基板１２０ｂは、電気コネクタ４０に係合されたときに、垂直に積み重ねられたものとして説明され得る。
【００１８】
[0031]例示された実施形態によれば、電気コネクタ４０は、各々がそれぞれの電気絶縁性リードフレーム筐体６０と、このリードフレーム筐体６０に支持される複数の電気接点４４のそれぞれの選択されたものとを含む、複数のリードフレーム組立体５８を含む。リードフレーム筐体６０に支持された電気接点４４は、例示された実施形態に従って信号接点として構成され得る。したがって、リードフレーム組立体５８は、信号リードフレーム組立体と称され得る。複数のリードフレーム組立体５８は、リードフレーム筐体がそれぞれの電気接点４４上にオーバーモールドされるインサート成形リードフレーム組立体（ＩＭＬＡｓ：insert molded leadframe assemblies）として提供され得る。リードフレーム組立体５８は、コネクタ筐体４２に支持され、隣接するリードフレーム組立体５８が行方向５１に沿って離間されるように構成される。
【００１９】
[0032]リードフレーム組立体５８は、複数のリードフレーム組立体５８の少なくとも１つの第１の選択リードフレーム組立体５８ａ、例えば、リードフレーム組立体５８の複数の第１の選択リードフレーム組立体５８ａと、複数のリードフレーム組立体５８の少なくとも１つの第２の選択リードフレーム組立体５８ｂ、例えば、複数のリードフレーム組立体５８の複数の第２の選択リードフレーム組立体５８ｂとを含むことができる。第１の組立体５８は、行方向５１に沿って互いに隣接して配置される、第１の選択リードフレーム組立体５８ａの１つと、第２の選択リードフレーム組立体５８ｂの１つとを各々含む、リードフレーム対５７に構成され得る。行方向５１に沿った隣接するリードフレーム組立体５８の揃えられた接点４４は、差動信号対を規定する。別の言い方をすれば、それぞれのリードフレーム対５７の隣接する電気接点４４は、差動信号対を規定する。したがって、そのブロードサイドが互いに向き合う隣接するリードフレーム組立体５８の対５７の電気接点４４が、差動信号対を規定するので、電気接点４４は、ブロードサイド結合される（broadside-coupled）と言われ得る。さらに、行方向５１に沿った隣接する電気接点４４が、差動信号対を規定するので、電気コネクタ４０は、行ベースの電気コネクタと称され得る。
【００２０】
[0033]各リードフレーム組立体５８のそれぞれの電気接点４４の各々は、対応するリードフレーム筐体６０から横方向へ前方に延在する係合部６２を規定する。各リードフレーム組立体５８のそれぞれの電気接点４４の各々は、対応するリードフレーム筐体６０から下方へ延在する取り付け部６４をさらに規定する。下記に説明されるように、係合部６２は、それぞれの接触位置１３８において第１の基板１２０ａおよび第２の基板１２０ｂの補完的な１つと電気的に係合するように構成される。取り付け部６４は、第３の基板内へまたは第３の基板を貫通して延在する補完的な開口内へ圧入され得る取り付け底部として構成され得る。代替的に、取り付け部６４は、電気接点４４と第３の基板の対応する電気トレースとを電気通信させるために、それぞれの第３の基板に表面実装されるように構成されても、または必要に応じて第３の基板にその他の方法で取り付けられるように構成されてもよい。したがって、電気コネクタ４０は、電気コネクタ４０が係合される少なくとも１つの基板と第３の基板とを電気通信させるために、少なくとも１つの基板、例えば、第１の基板１２０ａおよび第２の基板１２０ｂなどと係合され得る。
【００２１】
[0034]リードフレーム組立体５８は、行方向５１に対して垂直な列方向５５に沿って離間される、所望されるだけ多くの電気接点４４を含むことができる。列方向５５は、横断方向Ｔに沿った向きとされる。例示された実施形態によれば、各リードフレーム組立体５８は、少なくとも１対の電気接点４４を規定する。例えば、各リードフレーム組立体５８は、電気接点４４の第１の対または上部の対４４ａと、電気接点４４の第２の対または下部の対４４ｂとを規定することができる。各対４４ａおよび４４ｂは、第１の電気接点４４’および第２の電気接点４４”によって規定され得る。リードフレーム組立体５８が、コネクタ筐体４２に支持されると、上部の対４４ａの第１の電気接点４４’および第２の電気接点４４″の係合部６２は、上部の行４７に沿って伸長する第１のレセプタクル４５ａ内へ延在し、下部の対４４ｂの第１の電気接点４４’および第２の電気接点４４”の係合部６２は、下部の行４９に沿って伸長する第２のレセプタクル４５ｂ内へ延在する。
【００２２】
[0035]上部の対４４ａの第１の電気接点４４’および第２の電気接点４４″の各々の係合部６２は、第１のレセプタクル４５ａにおいて横断方向Ｔに沿って離間されており、第１の基板１２０ａが上部レセプタクル４５ａ内に挿入されると、第１の基板１２０ａの対向する上面および下面と電気通信させられる。第１の電気接点４４’および第２の電気接点４４″の各々の係合部６２は、下部レセプタクル４５ｂにおいて横断方向Ｔに沿って離間されており、第２の基板１２０ｂが下部レセプタクル４５ｂ内に挿入されると、第２の基板１２０ｂの対向する面と電気通信させられる。この点に関して、対応するリードフレーム組立体５８の電気接点４４の第１の電気接点および第２の電気接点の係合部６２は、第３の基板と電気通信するパドルカードを受け入れるように構成された、少なくとも１つの基板受け入れ間隔を規定する。例えば、上部の対４４ａの第１の電気接点４４’および第２の電気接点４４”の係合部６２は、上部の対４４ａの第１の電気接点４４’および第２の電気接点４４”の係合部６２が第１の基板１２０ａの対向する面と嵌合するように、第１の基板１２０ａを受け入れるように構成された第１の基板受け入れ間隔５３ａを規定する。下部の対４４ｂの第１の電気接点４４’および第２の電気接点４４”の各々の係合部６２は、下部の対４４ｂの第１の電気接点４４’および第２の電気接点４４”の係合部６２が第２の基板１２０ｂの対向する面と嵌合するように、第２の基板１２０ｂを受け入れるように構成された第２の基板受け入れ間隔５３ｂを規定する。
【００２３】
[0036]隣接するリードフレーム組立体５８のそれぞれの電気接点４４、例えば、行方向５１に沿って揃えられた電気接点４４は、差動信号対を規定することができる。例示された実施形態によれば、リードフレーム組立体５８の第１のリードフレーム組立体の上部の対４４ａおよび下部の対４４ｂの各々のそれぞれの第１の電気接点４４’および第２の電気接点４４”の各々と、リードフレーム組立体５８の第１のリードフレーム組立体に隣接する、リードフレーム組立体５８の第２のリードフレーム組立体の上部の対４４ａおよび下部の対４４ｂの各々のそれぞれの第１の電気接点４４’および第２の電気接点４４”の各々とは、それぞれの差動信号対を規定する。例えば、リードフレーム組立体５８の第１のリードフレーム組立体の上部の対４４ａの第１の電気接点４４’、およびリードフレーム組立体５８の第１のリードフレーム組立体に隣接する、リードフレーム組立体５８の第２のリードフレーム組立体の上部の対４４ａの第１の電気接点４４’は、第１の差動信号対を規定することができる。さらに、リードフレーム組立体５８の第１のリードフレーム組立体の上部の対４４ａの第２の電気接点４４”、およびリードフレーム組立体５８の第２のリードフレーム組立体の上部の対４４ａの第２の電気接点４４”は、第２の差動信号対を規定することができる。さらにまた、リードフレーム組立体５８の第１のリードフレームの下部の対４４ｂの第１の電気接点４４’、およびリードフレーム組立体５８の第２のリードフレーム組立体の下部の対４４ｂの第１の電気接点４４’は、第３の差動信号対を規定することができる。さらにまた、リードフレーム組立体５８の第１のリードフレーム組立体の下部の対４４ｂの第２の電気接点４４”、およびリードフレーム組立体５８の第２のリードフレーム組立体の下部の対４４ｂの第２の電気接点４４”は、第４の差動信号対を規定することができる。
【００２４】
[0037]電気接点４４の上部の対４４ａおよび下部の対４４ａの係合部６２は、それぞれ第１の基板１２０ａおよび第２の基板１２０ｂを受け入れるように構成されるので、電気接点４４は、レセプタクル接点と称されてもよく、電気コネクタ４０は、レセプタクルコネクタと称されてもよい。さらに、電気接点４４の係合部６２は、取り付け部６４に対して実質的に垂直な向きとされるので、電気コネクタ４０は、直角コネクタとして説明され得る。代替的に、電気コネクタ４０は、その係合部６２が取り付け部６４に対して実質的に平行な向きとされる垂直コネクタとして構成されてもよい。例えば、取り付け部６４は、リードフレーム筐体６０の後方端部から後方へ延在することができる。
【００２５】
[0038]電気コネクタ４０は、金属製であり得る複数の接地板６６をさらに含むことができる。代替的に、接地板６６は、誘電吸収性であってもよい。例えば、接地板６６は、誘電吸収性の損失性材料から作製されてもよい。したがって、接地板６６は、金属材料または非金属材料から作製され得る。接地板６６の各々は、横断方向Ｔおよび横方向Ａによって規定される鉛直面に向けられ、行方向５１に関して、少なくとも１つから最大ですべての隣接する電気接点４４の、少なくとも一部から最大で全部と重複するように、十分な距離だけ垂直におよび横方向に延在することができる。したがって、行方向５１に沿って延在する線は、行方向５１に沿って接地板６６に隣接する、リードフレーム組立体５８の電気接点４４の少なくとも１つを通過し、接地板６６をさらに通過する。リードフレーム組立体５８および接地板６６は、コネクタ筐体４２に支持され、隣接するリードフレーム間、例えば、リードフレーム組立体５８の隣接する第１のリードフレーム組立体と第２のリードフレーム組立体との間に接地板６６が配置されるように構成され得る。したがって、対応するリードフレーム対５７の電気接点４４のブロードサイド結合された差動信号対を通過する、行方向５１に沿って延在する線は、差動信号対を通過した後に、接地板６６を通過することができる。さらに、接地板６６は、隣接するリードフレーム対５７によって規定される、少なくとも１対の差動信号対間に配置される金属性の電磁シールドを規定することができる。
【００２６】
[0039]さらに、少なくとも１つの接地板６６から最大ですべての接地板６６は、行方向５１に沿った電気接点４４のそれぞれの係合部６２と揃えられ得る、複数の係合部６７を規定することができる。例示された実施形態によれば、係合部６７は、長手方向Ｌに沿ってそれぞれの接地板６６から前方へ突出するフィンガーとして構成され得る。係合部６７は、例示されるように、電気接点４４の揃えられた係合部６２と実質的に同一の形状とされても、または、必要に応じて、異なった形状とされてもよい。例示された実施形態によれば、各接地板６６は、少なくとも１対の係合部６７、例えば、電気的に共通の（electrically commoned）、またはそれぞれの接地板６６を介して電気的に接続された、係合部６７の第１の対または上部の対６７ａおよび係合部の第２の対または下部の対６７を規定する。したがって、電気パスは、プレート本体６６を通じて係合部６７の各々間に確立される。例えば、係合部６７の各対６７ａおよび６７ｂは、第１の係合部６７’と第２の係合部６７”とを含むことができる。接地板６６が、コネクタ筐体４２に支持されると、上部のペア６７ａの第１の係合部６７’および第２の係合部６７”の各々は、第１の行４７に沿って伸長する上部レセプタクル４５ａ内へ延在することができ、下部の対６７ｂの第１の係合部６７’および第２の係合部６７”の各々は、第２の行４９に沿って伸長する下部レセプタクル４５ｂ内へ延在することができる。したがって、上部の対６７ａの係合部６７は、行方向５１に沿って上部の対４４ａの電気接点４４の係合部６２と揃えられ、各リードフレーム組立体５８の上部の対４４ａの電気接点４４の係合部６２と実質的に同一の形状とされる。同じように、下部の対６７ｂの係合部６７は、行方向５１に沿って下部の対４４ｂの電気接点４４の係合部６２と揃えられ、係合部６２と実質的に同一の形状とされ得る。
【００２７】
[0040]電気コネクタ４０の動作中に、上部レセプタクル４５ａは、第１の基板１２０ａの第１の面１２２が、１）上部の対６７ａの第１の係合部６７’と、２）電気接点４４の上部の対４４ａの第１の電気接点４４’の係合部６２との両方と電気通信させられるように、第１の基板１２０ａを受け入れるように構成される。同様に、第１の基板１２０ａの第２の面１２４は、１）上部の対６７ａの第２の係合部６７”と、２）電気接点４４の上部の対４４ａの第２の電気接点４４”の係合部６２との両方と電気通信させられる。同じように、電気コネクタ４０の動作中に、下部レセプタクル４５ｂは、第２の基板１２０ｂの第１の面が、１）下部の対６７ｂの第１の係合部６７’と、２）電気接点４４の下部の対４４ｂの第１の電気接点４４’の係合部６２との両方と電気通信させられるように、第２の基板１２０ｂを受け入れるように構成される。同様に、第２の基板１２０ｂの第２の面は、１）下部の対６７ｂの第２の係合部６７”と、２）電気接点４４の下部の対４４ｂの第２の電気接点４４”の係合部６２との両方と電気通信させられる。
【００２８】
[0041]少なくとも１つの接地板６６から最大ですべての接地板６６は、複数の取り付け部６８をさらに規定することができ、複数の取り付け部６８は、それぞれの接地板６６から下方へ突出する取り付け底部として構成されることが可能であり、第３の基板の開口内へ圧入されるように構成される。代替的に、取り付け部６８は、第３の基板に表面実装されてもよい。取り付け部６８は、共に電気的に共通し、接地板６６を介して係合部６７とさらに電気的に共通する。したがって、接地板６６の各々は、それぞれの取り付け部６８と係合部６７との間の電気パスを確立する。したがって、接地板６６は、第３の基板と、第１の基板１２０ａおよび第２の基板１２０ｂなどの少なくとも１つのパドルカードとの間に接続される接地接点を規定する。接地板６６の各々は、必要に応じて、接地リードフレーム組立体を規定するために、接地リードフレーム筐体にオーバーモールドされ得る。さらに、接地板６６の各々は、接地板６６の各々と接触し、電気接点４４から電気的に絶縁される導電性の共通接地部材（ground commoning member）７０を受け入れるように構成されたスロット９４を規定する、対向する面７９ａおよび７９ｂを含むことができる。共通接地部材７０は、米国特許８，４８０，４１３号において、より詳細に説明されている。
【００２９】
[0042]ここで、基板１２０ａおよび１２０ｂが、図３Ａ〜図４に例示される基板１２０を参照しつつ、説明されるであろう。本開示によれば、基板１２０は、上述された従来の基板２０と実質的に同一であるが、長手方向Ｌに沿った信号接点パッドの長さが低減されている。また、基板１２０は、必要に応じて、引き込み接点パッドの長さを増加させることができる。「実質的に」という用語は、ここでは、製作公差に起因する潜在的なばらつきを示すために、基板１２０ａおよび１２０ｂが従来の基板２０と実質的に同一であることを説明するために使用される。後縁は、基板の性能に実質的に影響を及ぼさないと考えられ、したがって、従来の基板２０および基板１２０ａ〜ｂの実質的に同一の性質から逸脱せずに、従来の基板２０と基板１２０ａ〜ｂとの間で異なって位置付けられ得ることが、さらに認識される。第１の基板１２０ａおよび第２の基板１２０ｂは、図２Ａ〜図４に例示される基板１２０に関して、本明細書において説明されるように構成され得る。
【００３０】
[0043]ここで、図３Ａ〜図３Ｃを参照すると、電気コネクタ４０の基板１２０は、第１の面１２２と、横断方向Ｔに関して第１の面１２２と対向する第２の面１２４とを含む。基板１２０は、プリント回路板として、特に、ＳＡＳコネクタ用のパドルカードとして、構成される。電気コネクタ４０のいくつかのものは、第１のパドルカードおよび第２のパドルカードと係合するように、第１の基板および第２の基板を受け入れるように構成され得ることが認識される。代替的に、電気コネクタ４０のいくつかのものは、単一のパドルカードと係合するように、単一の基板を受け入れるように構成されてもよい。
【００３１】
[0044]基板１２０は、第１の面１２２に搭載され、電気コネクタ４０と係合するように構成された第１の複数の電気接点パッド１２６として構成される、第１の複数の電気接点を含む。第１の複数の電気接点パッド１２６は、横方向Ａに沿って互いに離間され得る。同様に、基板１２０は、第２の面１２４に搭載され、電気コネクタ４０と係合するように構成された第２の複数の接点パッド１２８として構成される、第２の複数の電気接点を含む。第２の複数の電気接点パッド１２８の電気接点は、横方向Ａに沿って互いに離間され得る。特に、基板１２０は、電気コネクタ４０の係合部６２および６７が第１の複数の電気接点パッド１２６および第２の複数の電気接点パッド１２８のそれぞれのものと係合するように、電気コネクタ４０に受け入れられる。特に、第１の複数の接点パッド１２６のあるものは、上述されたように、第１の電気接点４４’のそれぞれのものの係合部６２および第１の係合部６７’と係合するように構成される。第２の複数の接点パッド１２８のあるものは、上述されたように、第２の電気接点４４”のそれぞれのものの係合部６２および第２の係合部６７”と係合するように構成される。
【００３２】
[0045]第１の複数の電気接点パッド１２６および第２の複数の電気接点パッド１２８の各々は、それぞれ第１の面１２２および第２の面１２４の各々に搭載され得る、それぞれの信号接点パッド１２９および接地接点パッド１３０を含む。第１の面１２２における接地接点パッド１３０は、共に共通化され（commoned）得る。さらに、第２の面１２４における接地接点パッド１３０は、共に共通化され得る。信号接点パッド１２９は、係合部６２と係合するように構成され、接地接点パッド１３０は、係合部６７と係合するように構成される。信号接点パッド１２９および接地接点パッド１３０は、長手方向Ｌに沿って伸長する。信号接点パッド１２９の、横方向Ａに関して隣接するものは、対１３２に構成され得る。対１３２は、差動信号対を規定することができる。信号接点パッド１２９は、代替的に、シングルエンドとされてもよいことが認識される。
【００３３】
[0046]基板１２０は、横方向Ａに関して信号接点パッド１２９のそれぞれのものの間に配置された接地接点パッド１３０を含む。例えば、例示されるように、接地接点パッド１３０は、横方向Ａに関して対１３２の隣接するものの間の位置において第１の面１２２および第２の面１２４の各々に搭載される。横方向Ａは、本明細書において、行方向とも称される。第１の面１２２に搭載される信号接点パッド１２９の各々は、横断方向Ｔに沿って第２の面１２４に搭載された接点パッド１２８の信号接点パッド１２９のそれぞれのものと揃えられ得る。例えば、第１の面２２および第２の面２４は、互いの実質的に同一の鏡像であってもよい。同様に、第２の面１２４に搭載された信号接点パッド１２９の各々は、横断方向Ｔに沿って第１の面１２２に搭載された信号接点パッド１２９のそれぞれのものと揃えられ得る。さらに、第１の面１２２に搭載された接地接点パッド１３０の各々は、横断方向Ｔに沿って第２の面１２４に搭載された接地接点パッド１３０のそれぞれのものと揃えられ得る。同様に、第２の面１２４に搭載された接地接点パッド１３０の各々は、横断方向Ｔに沿って１の面１２２に搭載された接地接点パッド１３０のそれぞれのものと揃えられ得る。
【００３４】
[0047]基板１２０は、第１の面１２２および第２の面１２４の一方または両方に搭載される引き込み接点パッド１３４をさらに含む。引き込み接点パッド１３４の各々は、長手方向Ｌに沿って信号接点パッド１２９のそれぞれの揃えられた１つと揃えられる。さらに、引き込み接点パッド１３４の各々は、引き込み接点パッド１３４と信号接点パッド１２９との間の間隔を規定するために、長手方向Ｌに沿って信号接点パッド１２９のそれぞれの揃えられた１つから離間される。係合部６２（図２Ｄを参照）は、基板１２０が電気コネクタ４０のレセプタクル内に挿入されるにつれて、信号接点パッド１２９に沿って乗る前に、引き込み接点パッド１３４に沿って乗るように構成される。
【００３５】
[0048]引き込み接点パッド１３４の各々は、長手方向Ｌに沿った前方方向において、信号接点パッド１２９のそれぞれの１つから離間される。したがって、引き込み接点パッド１３４は、基板１２０の信号接点パッド１２９と前方端部１３６ａとの間に配置される。この点に関して、基板１２０は、前方端部１３６ａと、長手方向Ｌに沿って前方端部１３６ａから離間された後方端部１３６ｂとを規定する。前方端部１３６ａは、前方方向において後方端部１３６ｂから離間される。基板１２０の前方方向は、電気コネクタ４０の前方方向と反対である。同様に、後方端部１３６ｂは、前方方向と反対の後方方向において前方端部１３６ａから離間される。基板１２０の後方方向は、電気コネクタ４０の後方方向と反対である。基板１２０の前方方向および後方方向は各々、長手方向Ｌに沿った向きとされる。動作中に、基板１２０の前方端部１３６ａは、電気コネクタ４０に対する前方方向への基板１２０の移動により、電気コネクタ４０のレセプタクル内に受け入れられる。
【００３６】
[0049]したがって、基板１２０の前方端部１３６ａは、基板１２０の先端と称されてもよく、基板１２０の後方端部は、終端と称されてもよい。同様に、第１および第２の複数の接点パッド１２６および１２８の各々は、後縁と、前方方向において後縁から離間された先縁とを含む。例えば、信号接点パッド１２９の各々は、後縁１２９ａと、前方方向において後縁１２９ａから離間された先縁１２９ｂとを含む。同様に、引き込み接点パッド１３４の各々は、後縁１３４ａと、前方方向において後縁１３４ａから離間された先縁１３４ｂとを含む。接地接点パッド１３０の各々は、後縁１３０ａと、前方方向において後縁１３０ａから離間された先縁１３０ｂとを含む。引き込み接点パッド１３４の先縁１３４ｂは、横方向Ａに沿って接地接点パッド１３０の先縁１３０ｂと揃えられ得る。引き込み接点パッド１３４の各々の後縁１３４ａは、長手方向Ｌに沿って信号接点パッド１２９の揃えられた１つの先縁１２９ｂから離間される。引き込み接点パッド１３４は、導電性であり、信号接点パッド１２９に関して同じ材料または異なる材料から作製され得る。
【００３７】
[0050]先縁１２９ｂは、横方向Ａおよび横断方向Ｔによって規定されるそれぞれの平面に沿って、互いに揃えられ得る。さらに、後縁１２９ａは、横方向Ａおよび横断方向Ｔによって規定される平面に沿って、互いに揃えられ得る。さらに、先縁１３４ｂは、横方向Ａおよび横断方向Ｔによって規定される平面に沿って、互いに揃えられ得る。さらに、後縁１３４ａは、横方向Ａおよび横断方向Ｔによって規定される平面に沿って、互いに揃えられ得る。さらにまた、先縁１３０ｂは、横方向Ａおよび横断方向Ｔによって規定される平面に沿って、互いに揃えられ得る。さらにまた、後縁１３０ａは、横方向Ａおよび横断方向Ｔによって規定される平面に沿って、互いに揃えられ得る。先端および先縁は、電気コネクタ４０内への基板１２０の挿入の方向、または係合方向に関して識別されることが認識される。挿入の方向または係合方向は、長手方向Ｌに沿った向きとされることが認識される。
【００３８】
[0051]信号接点パッド１２９の各々は、長手方向Ｌに沿って後縁１２９ａから先縁１２９ｂまでの信号接点パッド長さＬ３を規定する。信号接点パッド長さＬ３は、上述された従来の基板２０の信号接点長さＬ１よりも、オフセット距離だけ短い。したがって、信号接点長さＬ３は、１．８５ｍｍ未満である。一例において、オフセット距離は、およそ０．２ｍｍとし得る。したがって、信号接点長さＬ３は、およそ１．６５ｍｍとし得る。オフセット距離は、従来の基板２０の信号接点パッド２９の信号接点長さＬ１の５〜２５％の範囲内に、例えば、信号接点長さＬ１のおよそ１０〜１５％未満など、例えば、信号接点長さＬ１のおよそ１１％未満などにし得ることが認識されるべきである。「およそ」という用語は、ここでは、製作公差に起因する、または丸めに起因するばらつきを示すために、百分率に関して使用される。
【００３９】
[0052]信号接点長さＬ１と比較した信号接点長さＬ３の低減は、信号接点パッド１２９の先縁１２９ｂを、従来の基板２０の先縁２９ｂに関して、基板１２０の前方端部１３６ａからさらに遠くに位置付けることによって達成され得る。したがって、信号接点パッド１２９の各々の先縁１２９ｂは、長手方向Ｌに沿って、上述された距離Ｄ１より大きい距離Ｄ７だけ、基板１２０の前方端部１３６ａから離間される。特に、先縁１２９ｂは、先縁２９ｂが前方端部３６ａから離間されるよりも、必要に応じて任意の距離だけ、前方端部１３６ａから遠くに離間される。例えば、この距離は、オフセット距離と等しくてもよい。一例において、距離Ｄ７は、距離Ｄ１よりもおよそ０．２ｍｍ大きくし得る。代替的に、この距離は、オフセット距離未満としてもよい。さらに代替的に、この距離は、オフセット距離よりも大きくしてもよい。したがって、距離Ｄ７は、必要に応じて、距離Ｄ１よりも任意の適切な量だけ大きくし得ることが認識されるべきである。
【００４０】
[0053]同様に、先縁１２９ｂは、先縁２９ｂに関して後方へオフセットされるので、先縁１２９ｂは、長手方向Ｌに沿って、基板１２０の後方端部３６ｂから、上述された距離Ｄ２未満の距離Ｄ８だけ離間される。特に、先縁１２９ｂは、先縁２９ｂが後方端部３６ｂから離間されるよりも、必要に応じて任意の距離だけ小さく、後方端部１３６ｂから離間される。例えば、この距離は、オフセット距離と等しくし得る。一例において、距離Ｄ８は、距離Ｄ２よりもおよそ０．２ｍｍだけ小さくし得る。代替的に、この距離は、オフセット距離未満としてもよい。さらに代替的に、この距離は、オフセット距離より大きしてもよい。したがって、距離Ｄ８は、必要に応じて、距離Ｄ２よりも任意の適切な量だけ小さくし得ることが認識されるべきである。
【００４１】
[0054]さらに、後縁１２９ａは、従来の基板２０の後方端部３６ｂから後縁２９ａが離間される距離と等しい距離だけ、長手方向Ｌに沿って基板１２０の後方端部１３６ｂから離間され得ることが認識されるべきである。代替的に、後縁１２９ａは、従来の基板２０の後方端部３６ｂから後縁２９ａが離間される距離よりも大きい距離だけ、長手方向Ｌに沿って基板１２０の後方端部１３６ｂから離間されてもよい。また代替的に、後縁１２９ａは、従来の基板２０の後方端部３６ｂから後縁２９ａが離間される距離よりも小さい距離だけ、長手方向Ｌに沿って基板１２０の後方端部１３６ｂから離間されてもよい。
【００４２】
[0055]引き込み接点パッド１３４は、長手方向Ｌに沿って後縁１３４ａから先縁１３４ｂまで測定されるような、引き込み接点パッド長さＬ４を規定することができる。基板１２０の信号接点長さＬ３は、従来の基板２０の信号接点長さＬ１に関して低減されるので、基板１２０の接点パッド長さＬ４は、従来の基板２０の接点パッド長さＬ２に関して、必要に応じて任意の適切な距離だけ増加され得る。例えば、この距離は、オフセット距離と等しくし得る。したがって、この距離は、およそ０．２ｍｍとし得る。代替的に、この距離は、オフセット距離より大きくてもよい。さらに代替的に、この距離は、オフセット距離未満であってもよい。
【００４３】
[0056]増加された引き込み接点パッド長さＬ４は、従来の基板２０の後縁３４ａに関して、長手方向Ｌに沿って基板１２０の前方端部１３６ａからさらに遠くに後縁１３４ａを位置付けることによって達成され得る。後縁１３４ａは、長手方向Ｌに沿って、必要に応じて任意の距離だけ、後縁１３４ａに関して前方端部１３６ａからさらに遠くに位置付けられ得る。例えば、この距離は、オフセット距離と等しくし得る。代替的に、この距離は、オフセット距離より大きくてもよい。さらに代替的に、この距離は、オフセット距離未満であってもよい。先縁１３４ｂは、長手方向Ｌに沿って従来の基板２０の前方端部３６ａから先縁３４ｂが離間されるのとおよそ同じ距離だけ、基板１２０の前方端部１３６ａから離間され得る。代替的に、先縁１３４ｂは、長手方向Ｌに沿って従来の基板２０の前方端部３６ａから先縁３４ｂが離間される距離と異なる距離だけ、基板１２０の前方端部１３６ａから離間されてもよい。
【００４４】
[0057]上述されたように、引き込み接点パッド１３４の後縁１３４ａおよび信号接点パッド１２９の先縁１２９ｂは、それぞれ後縁３４ａおよび先縁２９ｂに関して後方方向へずらされている。したがって、接点パッド１３４は、長手方向Ｌに沿って、信号接点の先縁１２９ｂから、上述されたのと同じ距離だけ離間される。例えば、引き込み接点パッド１３４の各々の後縁１３４ａは、長手方向Ｌに沿って、信号接点パッド１２９の揃えられた１つの先縁１２９ｂから、距離Ｄ９だけ離間され得る。つまり、引き込み接点パッド１３４を信号接点パッド１２９の揃えられたものから分離する間隔は、長手方向Ｌに沿った距離Ｄ９を規定する。距離Ｄ９は、従来の基板２０の距離Ｄ３とおよそ等しくし得る。
【００４５】
[0058]信号接点パッド１２９の各々は、後縁１２９ａと先縁１２９ｂとの間の接触位置１３８をさらに規定する。特に、基板１２０が、電気コネクタ４０のレセプタクル内に受け入れられるにつれて、電気コネクタの信号接点４４の係合部６２は、接触位置１３８において信号接点パッド１２９と物理的および電気的に接触させられる前に、引き込み接点パッド１３４に沿ってワイプすることができる。基板１２０が、電気コネクタ４０と完全に係合されると、係合部６２は、信号接点パッド１２９とそれぞれの接触位置１３８において物理的に接触する。接触位置１３８は、横方向Ａおよび横断方向Ｔによって規定されるそれぞれの平面に沿って互いに揃えられ得る。
【００４６】
[0059]接触位置１３８は、長手方向Ｌに沿って基板１２０の前方端部１３６ａから距離Ｄ１０だけ離間される。距離Ｄ１０は、長手方向Ｌに沿って従来の基板２０の前方端部３６ａから接触位置３８が離間される距離Ｄ４とおよそ等しくし得る。さらに、接触位置１３８は、長手方向Ｌに沿って基板１２０の後方端部１３６ｂから距離Ｄ１１だけ離間される。距離Ｄ１１は、長手方向Ｌに沿って従来の基板２０の後方端部３６ｂから接触位置３８が離間される距離Ｄ５とおよそ等しくし得る。さらに、接触位置１３８の各々は、長手方向Ｌに沿って信号接点パッド１２９の先縁１２９ｂから距離Ｄ１２だけ離間され得る。距離Ｄ１２は、従来の基板２０の先縁２９ｂから接触位置３８が離間される距離Ｄ６未満とし得る。例えば、距離Ｄ１２は、距離Ｄ６よりもオフセット距離だけ小さくし得る。したがって、１つの例において、接触位置１３８は、長手方向Ｌに沿っておよそ１．５５ｍｍの距離だけ先縁１２９から離間され得る。代替的に、距離Ｄ１２は、距離Ｄ６よりもオフセット距離より大きい分だけ小さくてもよい。代替的に、距離Ｄ１２は、距離Ｄ６よりもオフセット距離より小さい分だけ小さくてもよい。距離Ｄ１２は、Ｄ６の５〜２５％未満の範囲内に、例えば、Ｄ６のおよそ１０〜１５％未満など、例えば、Ｄ６のおよそ１１．５％未満などにし得ることが認識されるべきである。低減された距離Ｄ１２は、信号接点パッド１２９のスタブ長を低減する。理論によって拘束されることなく、低減されたスタブ長は、ここで説明されるように、動作中の電気コネクタ４０の性能を改善すると考えられる。
【００４７】
[0060]減少させた信号接点長さを有する電気コネクタの性能は、減少させた信号接点長さおよび増加させた導体パッド長さを除いて、他の点では同一に構築される従来の電気コネクタと比較して、改善されることが分かった。例えば、図５Ａに例示されるように、基板１２０の差動信号対のインピーダンスは、基板２０の差動対のインピーダンスよりも良好にマッチングされることが例示される。例えば、基板１２０の差動信号対のインピーダンスは、３０ピコ秒の立ち上がり時間で０ナノ秒から１．５ナノ秒までに５オーム超または１００オーム未満の範囲内である。図５Ｂを参照すると、本工業界においては、電気コネクタがその使用可能な帯域幅を越えて動作しているとき（すなわち、反射減衰が−１０ｄＢと交差する場所）を識別するために、反射減衰閾値、例えば、およそ−１０ｄＢなどが、反射減衰における基準点として使用されることが認識される。図５Ｂは、基板１２０の差動信号対が、反射減衰閾値４１に到達せずに、基板２０の差動信号対よりもおよそ６ＧＨｚ大きく動作することができることを識別する。その結果、その少なくとも１つの基板が基板１２０に関して上述されたように構築される電気コネクタは、その少なくとも１つの基板が基板２０に関して上述されたように構築される従来の電気コネクタよりも、およそ１２ギガビット／秒大きく動作することができる。例えば、その少なくとも１つの基板が基板１２０に関して上述されたように構築される電気コネクタは、２４ギガビット／秒で動作することができる。その少なくとも１つの基板が基板１２０に関して上述されたように構築される電気コネクタは、およそ８ＧＨｚにおいて反射減衰サックアウトを経験し得るが、電気コネクタは、約８ＧＨｚの周波数において動作するであろうことが認識される。
【００４８】
[0061]上述された構造および寸法を有する基板１２０を設計し、構築するための方法は、本開示の範囲内で想定されることが認識されるべきである。上述された構造および寸法を有する、少なくとも１つの基板１２０を含むコネクタを設計し、構築するための方法は、本開示の範囲内で想定されることがさらに認識されるべきである。
【００４９】
[0062]さらに、基板１２０ａおよび１２０ｂの一方または両方を電気コネクタ４０と係合させる方法が提供されることが認識されるべきである。例えば、本方法は、基板１２０ａおよび１２０ｂの少なくとも一方または両方の前方端部１３６ａを電気コネクタ４０のレセプタクル内に挿入方向へ挿入するステップを含むことができる。例えば、挿入するステップは、第１の基板１２０ａを上部レセプタクル４５ａ内に挿入し、第２の基板１２０ｂを下部レセプタクル４５ｂ内に挿入するステップを含むことができる。本方法は、電気コネクタ４０の複数の電気接点４４の係合端部６２と複数の電気信号接点パッド１２９のそれぞれのものとを接触させるステップをさらに含むことができる。例えば、接触させるステップは、電気コネクタ４０の複数の電気接点４４の係合端部６２と複数の電気信号接点パッド１２９のそれぞれのものとそれぞれの接触位置１３８において接触させることを含むことができる。コネクタ筐体と第１の基板１２０ａおよび第２の基板１２０ｂの少なくとも１つとの間の干渉は、第１の基板１２０ａおよび第２の基板１２０ｂの少なくとも１つが、電気コネクタ４０と完全に係合されたときに、第１の基板１２０ａおよび第２の基板１２０ｂの少なくとも１つが、コネクタ筐体４２の対応する少なくとも１つのレセプタクル内へ挿入方向に沿ってさらに挿入されることを防止することができる。本方法は、係合端部１６２を複数の電気信号接点パッド１２９のそれぞれのものと接触させる前に、引き込み接点パッド１３４に沿って係合端部１６２をワイプするステップをさらに含むことができる。
【００５０】
[0063]前述の説明は、説明の目的のために提供されており、本発明を限定するものとして解釈されるべきではない。様々な実施形態が、好ましい実施形態または好ましい方法に関して説明されてきたが、本明細書において使用された文言は、限定の文言よりもむしろ、説明および例示の文言であることが理解される。さらに、実施形態は、特定の構造、方法および実施形態に関して本明細書において説明されてきたが、本発明は、本明細書において開示された詳細に限定されることを意図されない。例えば、１つの実施形態に関連して説明された構造および方法は、別段の指示がない限り、本明細書において説明された他のすべての実施形態に対して等しく適用可能であることが認識されるべきである。この明細書の教示の利益を有する当業者は、本明細書において説明されたような本発明に対して多くの変形をもたらしてもよく、例えば、添付の特許請求の範囲に述べられるような、本発明の趣旨および範囲から逸脱せずに、変更が行なわれてもよい。
【図１Ａ】
2018503261.tif 000003
【図１Ｂ】
2018503261.tif 000004
【図１Ｃ】
2018503261.tif 000005
【図２Ａ】
2018503261.tif 000006
【図２Ｂ】
2018503261.tif 000007
【図２Ｃ】
2018503261.tif 000008
【図２Ｄ】
2018503261.tif 000009
【図２Ｅ】
2018503261.tif 000010
【図３Ａ】
2018503261.tif 000011
【図３Ｂ】
2018503261.tif 000012
【図３Ｃ】
2018503261.tif 000013
【図４】
2018503261.tif 000014
【図５Ａ】
2018503261.tif 000015
【図５Ｂ】
2018503261.tif 000016
【国際調査報告】
2018503261.tif 000017
2018503261.tif 000018
2018503261.tif 000019